【事件の表示】
　特願２０００−２４５３９１「画像処理方法」拒絶査定不服審判事件〔平成１４年　２月２２日出願公開、特開２００２−　５７９１１〕について、次のとおり審決する。
【結　論】
　本件審判の請求は、成り立たない。
【理　由】
１．手続きの経緯
　本願は、平成１２年８月１１日の出願であって、平成１７年１１月２日付で拒絶査定がされ、これに対して同年１２月８日に拒絶査定不服審判が請求されるとともに、平成１８年１月１０日付で手続補正がなされたものである。
　
２．平成１８年１月１０日付の手続補正についての補正却下の決定
［補正却下の決定の結論］
　平成１８年１月１０日付の手続補正を却下する。
　
［理由］
（１）補正後の本願発明
　本件補正により、特許請求の範囲の請求項１（請求項の数は全部で２である。）は、
「画像出力装置の出力特性に応じて画像処理条件を作成し、作成された画像処理条件を用いて入力画像に対して画像処理を行う画像処理方法であって、
　前記画像出力装置に記録媒体上にパッチを形成させ、該形成されたパッチを読み取り得られたデータに基づき画像処理条件を作成し、格納する作成工程と、
　画像出力装置内で、所定条件に基づき自動的に、形成されたパッチを測定する測定工程と、
　前記保持されている画像処理条件を、前記測定工程によってパッチを測定した結果に基づき修正する修正工程とを有し、
　前記作成された画像処理条件は、バックアップ用に不揮発性の記憶部に格納され、また、高速アクセスすべく一時記憶部に格納され、前記修正工程により修正された画像処理条件は高速アクセスすべく前記一時記憶部に格納されることを特徴とする画像処理方法。」と補正された。
　上記補正は、補正前の特許請求の範囲の請求項１に記載された発明を特定するために必要な事項である「作成工程によって作成された画像処理条件」について具体的な限定を付加して補正後の請求項１とするものであって、特許法１７条の２第４項２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法１７条の２第５項において準用する同法１２６条５項の規定に適合するか）について検討する。
　
（２）先願発明
　原査定の拒絶の理由に引用された、本願の出願の日前の平成１１年１１月１日の出願であって、本願の出願後に出願公開された特願平１１−３１１６３４号（特開２００１−１３４０２３号公報参照）の願書に最初に添付した明細書及び図面（以下、「先願明細書」という。）には、次の事項が記載されている。
　
　ア　「【０００９】
【課題を解決するための手段】上記課題を解決するため、本発明にかかる画像形成装置は、入力画像データを階調補正手段によって階調補正することにより出力画像データを形成し、この出力画像データに基づいて像担持体上にトナー像を現像し、このトナー像を所定の記録紙等に転写する画像形成装置であって、所定のメンテナンス時において、所定の階調パターンデータを入力画像データとして像担持体上に階調パターン画像を現像し、この階調パターン画像各部のトナー濃度値とともに、この階調パターン画像が現像されていない像担持体地肌部分のトナー濃度値を検出するメンテナンス時状態検出手段と、上記メンテナンス時状態検出手段によって検出された像担持体地肌部分のトナー濃度値に基づいて、同メンテナンス時状態検出手段によって検出された階調パターン画像各部のトナー濃度値から、階調パターン画像各部の有効トナー濃度値を算出する有効トナー濃度値算出手段と、こうして算出されたメンテナンス時における階調パターン画像各部の有効トナー濃度値に基づいて、上記階調補正手段における階調補正特性を設定する階調補正特性設定手段と、を備えたことを特徴とするものである（請求項１）。
【００１０】この画像形成装置では、メンテナンス時に像担持体の地肌部分のトナー濃度値が検出されるが、この地肌部分のトナー濃度値には、メンテナンス時の像担持体上に付着している無帯電トナーや逆帯電トナー等の記録紙に転写されない（あるいは転写されにくい）トナー量が表れている。このような無帯電トナー等は、像担持体表面にほぼ一様に付着していると考えられる。したがって、同じくメンテナンス時に像担持体上に現像される階調パターン画像の各部のトナー濃度値には、有効に記録紙等に転写されるトナー量と転写されない無帯電トナー等のトナー量との合計が表れている。
【００１１】本発明にかかる画像形成装置では、メンテナンス時に装置の出力特性等に応じるための階調補正特性を設定するにあたり、像担持体地肌部分のトナー濃度値に基づいて、像担持体上に現像される階調パターン画像各部のトナー濃度値から、記録紙等に転写されるトナー量を有効トナー濃度値として算出し、この有効トナー値に基づいて階調補正特性を設定するため、無帯電トナー等が像担持体上に付着することによって像担持体上のトナー濃度値と実際に記録紙等に転写される画像濃度との不整合を生じることなく、常に装置や装置設置環境等に適合した適切な階調補正特性を得て、正確に所望の画像濃度を再現することができる。」
　
　イ　「【００４５】次に、階調補正特性設定処理部５０によって行われる階調補正特性の設定処理について説明する。
【００４６】この階調補正特性の設定処理は、工場出荷時やオーバーホールを伴うメンテナンス時等の初期状態において行われる初期設定処理と、装置が自動的にメンテナンス時において行うメンテナンス処理（以下、このようなメンテナンス処理を「メンテナンス処理」と呼ぶ。）との大きく２つに分けることができる。
【００４７】まず、初期設定処理について、図３を参照しながら説明する。この初期設定処理は、初期状態における装置の特性（特に出力特性）を検出して、この出力特性に応じた階調補正量（階調補正特性）を設定し、さらに後のメンテナンス処理に供するための初期状態を記憶する処理である。この初期設定処理は、この装置がＣ，Ｍ，Ｙ，Ｋの４色の出力を行うものであるため各色ごと順に行われる。
【００４８】この初期設定処理では、まず階調パターンデータ記憶部５１に記憶されている階調パターンデータに基づいて、実際に記録紙上に階調パターン画像が形成される（ステップＳ１０）。具体的には、階調パターンデータ記憶部５１に記憶されている階調パターンデータが画像処理部３０の出力系適合補正部３５の上流側に送信され、さらに出力色選択部３６、変倍処理部３７および空間フィルタ部３８を経て画像形成部４０において記録紙への画像形成が行われる。階調パターンデータは、装置の出力階調領域から複数の代表階調を抽出したものであり、たとえば次表のデータとして表すことができる。なお、パッチ０は、階調０の仮想パッチである。
【００４９】
【表１】
【００５０】なお、この初期設定処理で最初に行われる画像形成処理においては、出力系適合補正部３５における階調補正特性に応じた階調補正処理は行わない。
【００５１】階調補正処理を行わずに階調パターン画像が形成された記録紙は、画像読取部２０において画像読取りが行われる（ステップＳ２０）。具体的には、階調パターン画像が形成された記録紙は、初期設定処理を行う操作者によって、画像読取部２０のコンタクトガラス２１上に載置され、画像読取部２０がこの記録紙上の階調パターン画像の読取りを行う。こうして読みとられた階調パターン画像の画像データは、画像処理部３０に送られ、シェーディング補正部３１、色空間変換部３２、色補正処理部３３および黒生成処理部３４を経て出力系適合補正部３５に送られる。
【００５２】つづいて、階調補正特性設定部５２は、出力系適合補正部３５に送られた階調パターン画像の画像データにおける階調パターン各パッチの濃度と、この階調パターン画像の元となった階調パターンデータとを比較することによって、画像形成部４０の現在の出力特性が得られる（ステップＳ３０）。出力系適合補正部３５に送られた階調パターン画像の画像データは、出力系適合補正部３５における階調補正処理を行われることなく画像形成され、読み取られたものであるから、画像形成部４０の出力特性のみを検出することができる。
【００５３】こうして現在（初期状態）の出力特性が得られれば、この出力特性に応じて、さらに入力階調に対する所望の出力階調が得られるように、階調補正をおこなうための階調補正特性が算出される（ステップＳ４０）。この階調補正特性は、出力特性を吸収するべく、入力階調に対して画像形成される出力階調がリニアになるように階調補正を行うように設定してもよいが、人間の目に検知される階調がリニアに、あるいは自然な階調分布に見えるように階調補正するものであることが望ましい。この階調補正特性（ガンマデータ）は、横軸に入力階調を、縦軸に階調補正後の階調を表せば、図７の曲線として例示されるが、具体的には、この実施形態では入力階調に対する出力階調を記述したテーブルとして設定すればよい。設定された階調補正特性は、画像処理部３０の出力系適合補正部３５内に記憶される。
【００５４】以上の処理によって初期状態における適正な階調補正特性の設定は完了するが、つづいて、後のメンテナンス時にメンテナンス処理に供するため、この初期状態のデータの検出および記憶が行われる。」
　
　ウ　「【００６０】以上のようにして初期設定が行われれば、以後、画像処理部３０の出力系適合補正部３５における階調補正処理では、後述するメンテナンス処理が行われるまで、この階調補正特性に応じて階調補正処理が行われる。
【００６１】次に、図４を参照しながら、メンテナンス時において行われる階調補正特性の設定処理について説明する。このメンテナンス処理は、所定枚数の画像形成処理を行うごとに、前回のメンテナンス処理から所定期間が経過したときに、あるいは、温度や湿度等の装置周囲の環境条件が変化した場合に、処理統括制御部９０等が自動的にメンテナンス処理を行うメンテナンス時を決定し、処理統括制御部９０からの開始信号に応じて行われる。なお、この装置においては、メンテナンス処理終了から画像形成した枚数等をカウントするカウンタ、メンテナンス処理終了からの時間経過を計測するタイマ、装置の設置環境条件を検出する温度センサや湿度センサ等を備え、これらの出力は処理統合制御部９０に入力するように構成されている。このメンテナンス処理は、メンテナンス時における装置の特性（特に出力特性）に応じた階調補正量（階調補正特性）を設定するものである。このメンテナンス処理も上記初期設定処理と同様に、この装置がＣ，Ｍ，Ｙ，Ｋの４色の出力を行うものであるため各色ごと順に行われる。」
　
　エ　「【００７０】具体的には、まず、初期設定時と同じ出力階調が得られるメンテナンス時における入力階調を、メンテナンス時におけるパターン部濃度の各パッチ間を直線で補間し、これに初期設定時のパターン部濃度を照合することによって求める。図８は、この処理をパッチ番号４の階調（濃度値）１１７のデータについて行った場合の説明図である。メンテナンス時の有効トナー濃度値において階調値１１７は、パッチ６（有効トナー濃度値１１３）およびパッチ７（有効トナー濃度値１２８）の間にある。これらパッチ６および７の入力階調（階調パターンデータ）は、それぞれ６１および７９である。図８のように、横軸に入力階調、縦軸に出力階調をとり、メンテナンス時の有効トナー濃度のパッチ６および７を補間した場合、初期設定時のパッチ４の出力階調１１７は、入力階調６５．８（整数化して６６）で得られることが分かる。同様にして、各パッチごとに、初期設定時の出力階調が得られる入力階調値を算出することができる。
【００７１】このようにしてメンテナンス時の状態において、初期設定時と同様の出力を得るための入力階調値が得られれば、既に初期設定時に好適な出力が得られるように設定した階調補正特性に対して、初期設定時からメンテナンス時への状態変化分を加える（あるいは差し引く）ことで、メンテナンス時の状態に応じた階調補正特性を設定することができる。図９は、初期設定時の階調補正特性（ガンマデータ）から、メンテナンス時の状態に応じて修正した階調補正特性（ガンマデータ）を模式的に表した説明図である。
【００７２】こうして修正した階調補正特性は、画像処理部３０の出力系適合補正部３５に記憶され、以後、こうして修正された階調補正特性に応じて状態に応じた階調補正処理が行われる。
【００７３】以上のように、この実施形態にかかる画像形成装置では、メンテナンス時に感光体ドラム４２１の地肌部分のトナー濃度値を検出することにより、記録紙に転写されない（あるいは転写されにくい）無帯電トナーや逆帯電トナー等のトナー量を検出し、この感光体ドラム４２１地肌部分のトナー濃度値に基づいて、感光体ドラム４２１上に現像される階調パターン画像各部のトナー濃度値から、記録紙等に転写されるトナー量を有効トナー濃度値として算出し、この有効トナー値に基づいて階調補正特性を修正するため、無帯電トナー等が感光体ドラム４２１上に付着することによって感光体ドラム４２１上のトナー濃度値と実際に記録紙等に転写される画像濃度との不整合を生じることなく、常に装置や装置設置環境等に適合した適切な階調補正特性を得て、正確に所望の画像濃度を再現することができる。」
　
　オ　図面（図３）には、以下のＳ１０からＳ７０までの一連のステップが記載されている。
　Ｓ１０「階調パターン画像を記録紙に画像形成」
　Ｓ２０「階調パターンが像の形成された記録紙の画像読み取り」
　Ｓ３０「読み取った階調パターン画像から出力特性の検出」
　Ｓ４０「出力特性に応じた適正な階調補正特性の設定」
　Ｓ５０「階調パターン画像を設定された階調補正特性で階調補正し、感光体ドラム上に現像」
　Ｓ６０「感光体ドラムの地肌濃度および現像された階調パターン画像各部のトナー濃度を検出」
　Ｓ７０「検出した地肌濃度およびパターン部濃度を記憶」
　
　カ　図面（図４）には、以下のＳ１１０からＳ１５０までの一連のステップが記載されている。
　Ｓ１１０「階調パターン画像を修正前階調補正特性で階調補正し、感光体ドラム上に現像」
　Ｓ１２０「感光体ドラムの地肌濃度および現像された階調パターン画像各部のトナー濃度を検出」
　Ｓ１３０「記憶されている初期状態の地肌濃度とメンテナンス時に検出された地肌濃度との差から、状態変化量を算出」
　Ｓ１４０「算出された状態変化量に応じてメンテナンス時に検出されたパターン部濃度から有効トナー濃度を算出」
　Ｓ１５０「メンテナンス時の有効トナー濃度と記憶されている初期状態濃度のパターン部濃度との比較結果に基づいて初期設定時の階調補正特性を修正」
　
　したがって、上記アないしカの記載及び図面から、先願明細書には、「
　入力画像データを階調補正手段によって階調補正することにより出力画像データを形成し、この出力画像データに基づいて像担持体上にトナー像を現像し、このトナー像を所定の記録紙等に転写する画像形成方法であって、
　前記階調補正手段における階調補正特性を設定する階調補正特性設定処理として、初期状態において行われる初期設定処理と、メンテナンス時において行われる階調補正特性の設定処理とを有し、
　前記初期状態において行われる初期設定処理は、階調パターン画像を記録紙に画像形成し、階調パターンが像の形成された記録紙の画像読み取り、読み取った階調パターン画像から出力特性の検出し、出力特性に応じた適正は階調補正特性を設定し、階調パターン画像を設定された階調補正特性で階調補正し、感光体ドラム上に現像し、感光体ドラムの地肌濃度および現像された階調パターン画像各部のトナー濃度を検出し、検出した地肌濃度およびパターン部濃度を記憶するものであり、
　前記メンテナンス時において行われる階調補正特性の設定処理は、階調パターン画像を修正前階調補正特性で階調補正し、感光体ドラム上に現像し、感光体ドラムの地肌濃度および現像された階調パターン画像各部のトナー濃度を検出し、記憶されている初期状態の地肌濃度とメンテナンス時に検出された地肌濃度との差から、状態変化量を算出し、算出された状態変化量に応じてメンテナンス時に検出されたパターン部濃度から有効トナー濃度を算出し、メンテナンス時の有効トナー濃度と記憶されている初期状態濃度のパターン部濃度との比較結果に基づいて初期設定時の階調補正特性を修正する、画像形成方法」の発明（以下、「先願発明」という。）が記載されていると認められる。
　
（３）対比
　先願発明である「画像形成方法」は、記録紙への画像形成過程において画像処理を行う方法であるので、本願補正発明の「画像処理方法」に相当する。
　先願発明の「階調補正特性」は、先願明細書の前掲ア（【００１１】）、前掲イ（【００５２】、【００５３】）、前掲エ（【００７０】−【００７２】）の記載から、階調補正という画像処理を行うための条件であるから、本願補正発明の「画像処理条件」に相当する。
　そして、先願発明の「階調補正手段における階調補正特性を設定する階調補正特性設定処理」、及び「入力画像データを階調補正手段によって階調補正することにより出力画像データを形成」することは、本願補正発明の「画像出力装置の出力特性に応じて画像処理条件を作成」すること、及び「作成された画像処理条件を用いて入力画像に対して画像処理を行う」ことに相当する。
　先願発明の「記録紙」は、本願補正発明の「記録媒体」に相当する。
　先願発明の「階調パターン画像」は、先願明細書の前掲イ（【００４８】）より、代表階調を示す複数のパッチであるから、本願補正発明の「パッチ」に相当する。
　先願発明の「初期状態において行われる初期設定処理」は、記録紙上にパッチを形成し、該パッチを読み取り、読み取ったパッチに基づいて画像処理条件を設定するものであって、さらに、先願明細書の前掲イ（【００５３】【００５４】）の記載から、該設定された画像処理条件は、所定の記憶手段に記憶されるものである。そうすると、先願発明の前記「初期状態において行われる初期設定処理」は、本願補正発明の「画像出力装置に記録媒体上にパッチを形成させ、該形成されたパッチを読み取り得られたデータに基づき画像処理条件を作成し、格納する作成工程」に相当する。
　先願発明の「メンテナンス時において行われる階調補正特性の設定処理」において、「階調パターン画像を修正前階調補正特性で階調補正し、感光体ドラム上に現像し、感光体ドラムの地肌濃度および現像された階調パターン画像各部のトナー濃度を検出」することは、人手を介することなく自動的に行われる測定処理であることは明らかであるから、本願補正発明の「画像出力装置内で、所定条件に基づき自動的に、形成されたパッチを測定する測定工程」に相当する。
　そして、先願発明の「メンテナンス時において行われる階調補正特性の設定処理」において、「記憶されている初期状態の地肌濃度とメンテナンス時に検出された地肌濃度との差から、状態変化量を算出し、算出された状態変化量に応じてメンテナンス時に検出されたパターン部濃度から有効トナー濃度を算出し、メンテナンス時の有効トナー濃度と記憶されている初期状態濃度のパターン部濃度との比較結果に基づいて初期設定時の階調補正特性を修正する」ことは、本願補正発明の「保持されている画像処理条件を、前記測定工程によってパッチを測定した結果に基づき修正する修正工程」に相当する。
　先願発明の「初期状態において行われる初期設定処理」、及び「メンテナンス時において行われる階調補正特性の設定処理」では、前掲イ（【００５３】、【００５４】）、前掲エ（【００７２】）の記載によると、それぞれで算出される階調補正特性を、所定の記憶手段に記憶しており、本願補正発明の「作成された画像処理条件と、修正工程により修正された画像処理条件は、記憶部に格納される」ことに相当する構成を有していることは明らかである。
　
　したがって、本願補正発明と先願発明とは、「画像出力装置の出力特性に応じて画像処理条件を作成し、作成された画像処理条件を用いて入力画像に対して画像処理を行う画像処理方法であって、
　前記画像出力装置に記録媒体上にパッチを形成させ、該形成されたパッチを読み取り得られたデータに基づき画像処理条件を作成し、格納する作成工程と、
　画像出力装置内で、所定条件に基づき自動的に、形成されたパッチを測定する測定工程と、
　前記保持されている画像処理条件を、前記測定工程によってパッチを測定した結果に基づき修正する修正工程とを有し、
　前記作成された画像処理条件と、修正工程により修正された画像処理条件は、記憶部に格納される画像処理方法」の点で一致し、次の点で一応相違する。
　
［一応の相違点］
　本願補正発明では、「作成された画像処理条件と、修正工程により修正された画像処理条件は、記憶部に格納される」際に、「作成された画像処理条件は、バックアップ用に不揮発性の記憶部に格納され、また、高速アクセスすべく一時記憶部に格納され、修正工程により修正された画像処理条件は高速アクセスすべく前記一時記憶部に格納される」のに対して、先願発明では、「作成された画像処理条件と、修正工程により修正された画像処理条件は、記憶部に格納される」際に、どこに記憶するかを特定していない点。
　
（４）当審の判断
　［一応の相違点］について
　階調補正に関する情報等を格納する際に、アクセス速度と、記憶された情報の保持性の両立のために、ＲＡＭ等の高速アクセス可能な一時記憶部、及び、バックアップ用の不揮発性の記憶部に格納することは、画像処理において広く常套的に行われていることである。
　例えば、特開平１０−０７９８５５号公報には、「【００６１】データ補正部３３において、必要データが整った後に、曲線補完部３４により、複数区間分割による直線近似もしくは各種の関数定義による曲線式が算出される。曲線式に基づき、入力濃度データに対する出力濃度データの変換テーブルが作成され、作成された変換テーブルは、データ格納制御部３５によりＲＡＭ５０２に格納される。ＲＡＭ５０２に格納された変換テーブル情報は、不揮発メモリ部３７にも格納され、新規作成データもしくはアップデートデータとして再利用可能なようにコピーして置く。」と記載され、
　及び、特開平１０−１２６６２９号公報には、「【００５４】図９は、本発明のホストからのカラーデータのクリップ幅の設定説明図を示す。図９において、左側のホスト１からカラーデータのクリップ幅およびカラークリップモードのデータを、右側のプリンタコントローラ３が受信し、内部のメモリにカラーデータのクリップ幅およびカラークリップモードのデータを格納すると共にバックアップＲＡＭ等の不揮発性メモリにカラーデータのクリップ幅およびカラークリップモードのデータを保存する。２回目以降の電源投入時にバッファクアップＲＡＭ等からカラーデータのクリップ幅およびカラークリップモードのデータを読み出してメモリに格納し、使用する。」と記載され、
　及び、特開平６−３１１３６５号公報には、「【００４３】次に、Ｉｓ（ｐ）の逆関数Ｃ（ｉ）（図４（ｂ））を求める。逆関数の求め方は一般によく知られているのでここでは特に説明しない。求めた逆関数Ｃ（ｉ）を階調補正カーブとして階調補正ＬＵＴ（ＲＡＭ）に格納する。
【００４４】また、ＲＡＭは電源が切れたときに情報が失われてしまうので、不揮発性ＳＲＡＭ５２５にも階調補正カーブを記憶させておき、電源投入時にはここから階調補正ＬＵＴ５２２に転送する。尚、以上の説明における数値演算はすべてＣＰＵ５２３が行う。」と記載され、
　及び、特開平１１−１３３６８３号公報には、「【００２７】そして、これらパッチの濃度を適正なタイミングで濃度センサ１７によって測定する（Ｓ３８）。さらに、各パッチ作成に用いた画像信号と測定した各パッチの濃度との関係は多項式によって補間され階調特性が求められる（Ｓ３９）。この階調特性を基にＬＵＴ１５を作成してＲＡＭ１４内に書き込む（Ｓ３１０）とともにＲＯＭ１６に格納されている階調特性の初期値との差分を算出する。この差分データは現在の環境の情報とともに不揮発性ＲＡＭ１８に格納され、次回の中間制御時に利用される（Ｓ３１１）。」
　及び、特開２０００−０９２３２４号公報には、「【００４６】次に、操作者によりテスト原稿が載置されると、Ｓ１４では、それを給紙して第１の画像読み取り部７−１で、テスト原稿を読み取る。読み取られた画像データは、読み取り特性補正部８−１、画像処理部９を経由して画像メモリ１３に書き込まれる。そして、画像メモリ中の画像データをＣＰＵ１５が調べることにより、図５（ａ）で説明したような、第１の画像読み取り部７−１の読み取り特性を測定する。ついで、ＣＰＵ１５により、測定された読み取り特性を補正するための補正データが計算され、読み取り特性補正部８−１に書き込まれると同時に、不揮発性ＲＡＭ１８にも書き込まれる。給紙された原稿は、原稿排紙部３８に排紙される。」、「【００４８】次に、操作者によりテスト原稿が載置されると、Ｓ１６では、それを給紙して第２の画像読み取り部７−２で、テスト原稿を読み取る。読み取られた画像データは、Ｓ１４の場合と同様に処理され、第２の画像読み取り部７−２の読み取り特性を補正するための補正データが計算され、読み取り特性補正部８−２に書き込まれると同時に、不揮発性ＲＡＭ１８にも書き込まれる。そして、給紙された原稿は、原稿排紙部３８に排紙される。以上の、Ｓ１３〜Ｓ１６の補正処理が終わると、各読み取り特性補正部には、各読み取り部の特性を補正するデータが書き込まれており、Ｓ１２に戻る。」と記載されている。
　そうすると、先願発明において、「作成された画像処理条件と、修正工程により修正された画像処理条件は、記憶部に格納される」ことについて、「作成された画像処理条件は、バックアップ用に不揮発性の記憶部に格納され、また、高速アクセスすべく一時記憶部に格納され、修正工程により修正された画像処理条件は高速アクセスすべく前記一時記憶部に格納される」とすることは、当業者が実施の際に適宜行うべき事項にすぎない。
　したがって、上記［一応の相違点］は、実質的な相違点ではなく、本願補正発明と先願発明とは実質的に同一と認められる。そして、本願補正発明の発明者が先願発明の発明者と同一であるとも、また本願補正発明の出願の時に、その出願人が先願の出願人と同一であるとも認められないため、特許法２９条の２の規定により特許を受けることができない。
　
（５）むすび
　以上のとおり、本件補正は、特許法１７条の２第５項で準用する同法１２６条５項の規定に違反するものであり、同法１５９条１項で準用する同法５３条１項の規定により却下されるべきである。 
　
３．本願発明について
　平成１８年１月１０日付の手続補正は上記のとおり却下されたので、本願の請求項１に係る発明（以下、「本願発明」という。）は、平成１７年９月２７日付手続補正書の特許請求の範囲の請求項１に記載された事項により特定される、以下のとおりのものである。
「画像出力装置の出力特性に応じて画像処理条件を作成し、作成された画像処理条件を用いて入力画像に対して画像処理を行う画像処理方法であって、
　前記画像出力装置に記録媒体上にパッチを形成させ、該形成されたパッチを読み取り得られたデータに基づき画像処理条件を作成し、格納する作成工程と、
　画像出力装置内で、所定条件に基づき自動的に、形成されたパッチを測定する測定工程と、
　前記保持されている画像処理条件を、前記測定工程によってパッチを測定した結果に基づき修正する修正工程とを有し、
　前記作成された画像処理条件はバックアップ用に不揮発性の記憶部に格納され、前記修正工程により修正された画像処理条件は高速アクセスすべく一時記憶部に格納されることを特徴とする画像処理方法。」
　
（１）先願発明
　原査定の拒絶の理由に引用された先願明細書、及びその記載事項は、前記「２．（２）」に記載したとおりである。
　
（２）対比・判断
　本願発明は、前記「２．」で検討した本願補正発明から「作成工程によって作成された画像処理条件」について具体的な限定を省いたものである。
　そうすると、本願発明の構成要件をすべて含み、さらに他の構成要件を付加したものに相当する本願補正発明が、前記「２．（４）」に記載したとおり、先願発明と実質的に同一であるから、本願発明も同様の理由により、先願発明と同一である。
　
（３）むすび
　以上のとおり、本願発明は、先願発明と同一であって、本願発明の発明者が先願発明の発明者と同一であるとも、また本願発明の出願の時に、その出願人が先願の出願人と同一であるとも認められないため、特許法２９条の２の規定により特許を受けることができない。
　したがって、本願は、他の請求項について検討するまでもなく、拒絶されるべきものである。
　よって、結論のとおり審決する。